(57)【要約】      （修正有）【課題】発光素子及び受光素子と光ファイバーとを接続する小型の光コネクタを提供する。【解決手段】第１の光コネクタ１００と、第１の光コネクタと嵌合される第２の光コネクタ２００とを有する光コネクタにおいて、第１の光コネクタは、開口を有するプレート１４０と、プレートに積層される基板１３０と、基板の上に積層される、発光素子及び受光素子を備えた光モジュール１１０と、プレートに接続される、開口を有するアダプタ１５０と、を有し、第２の光コネクタは、ハウジング２１０と、光ファイバーに接続され、その端部がハウジングの先端部から露出するようにハウジングに設けられ、第１の光コネクタと前記第２の光コネクタとが嵌合する際に開口に入れられるフェルール２２０と、を有する。【選択図】図１
2018017921.tif 000002
【特許請求の範囲】
【請求項１】
第１の光コネクタと、前記第１の光コネクタと嵌合される第２の光コネクタとを有する光コネクタにおいて、
前記第１の光コネクタは、
開口を有するプレートと、
前記プレートに積層される基板と、
前記基板の上に積層される、発光素子及び受光素子を備えた光モジュールと、
前記プレートに接続される、開口を有するアダプタと、を有し、
前記第２の光コネクタは、
ハウジングと、
光ファイバーに接続され、その端部が前記ハウジングの先端部から露出するように前記ハウジングに設けられ、前記第１の光コネクタと前記第２の光コネクタとが嵌合する際に前記開口に入れられるフェルールと、を有することを特徴とする光コネクタ。
【請求項２】
前記第２の光コネクタは、ばねを更に有し、
前記フェルールは前記ばねにより前記ハウジングの先端面に向けて付勢されることを特徴とする請求項１に記載の光コネクタ。
【請求項３】
前記フェルールと前記ばねとの間に配置され、前記ばねの付勢力により前記フェルールを押すピストンを更に有することを特徴とする請求項２に記載の光コネクタ。
【請求項４】
前記ハウジングは、曲面部と、前記曲面部に対向する突起とを有し、
前記光ファイバーは、前記曲面部と前記突起との間に挟まれることを特徴とする請求項３に記載の光コネクタ。
【請求項５】
前記第２の光コネクタの前記ハウジングの側面に形成された凹部と、
前記凹部に係合するロック部を有し、前記第１の光コネクタの前記アダプタの内側に回動可能に設けられたイジェクト部材と、
前記ロック部を凹部側に付勢するバネと、を更に備えることを特徴とする請求項１から４のいずれかに記載の光コネクタ。
【請求項６】
前記光ファイバーの周囲を覆う光ファイバーカバーを更に有し、
前記光ファイバーカバーは、第１のカバーと前記第１のカバーに組み合わされる第２のカバーとを有し、
前記第１のカバーには、前記光ファイバーの最小曲げ半径よりも大きい曲率半径を持つ曲面が形成されていることを特徴とする請求項１から５のいずれかに記載の光コネクタ。
【請求項７】
光ファイバーを備えた他のコネクタと接続されるコネクタにおいて、
第１のハウジングと第２のハウジングとを有し、前記第１のハウジングと前記第２のハウジングを組み合わせた際に前記他のコネクタが入る開口が形成されるハウジングと、
前記ハウジングの開口の上に配置される光モジュールとを備え、
前記光モジュールは、
前記開口の上に配置されるプレートと、
前記プレートの上に積層され、発光素子あるいは受光素子の少なくとも一方が搭載される基板と、を有することを特徴とするコネクタ。
【請求項８】
他のコネクタと接続されるコネクタにおいて、
ハウジングと、
前記ハウジング内に設けられるとともに、光ファイバーが接続されるフェルールと、
前記フェルールに接続された前記光ファイバーを覆うカバーと、を備え、
前記カバーは、互いに組み合わされる第１のカバーと第２のカバーとを有し、
前記第１のカバーには、前記光ファイバーの最小曲げ半径よりも大きな曲率半径を持つ曲面が形成されていることを特徴とするコネクタ。
【発明の詳細な説明】
【技術分野】
【０００１】
本発明は、光コネクタ及びコネクタに関する。
【背景技術】
【０００２】
スーパーコンピュータ、ハイエンドサーバの高速インターフェースにおける通信では、信号の高速伝送化に対応し、伝送距離を長くできる光通信が普及しつつある。
【０００３】
伝送距離が数十ｍと長い次世代インターフェースでは、電気信号と光信号とを変換するための光モジュールが用いられている。光モジュールは、光ファイバーとサーバ等とを接続する際に用いられ、光ファイバーからの光信号を電気信号に変換してサーバに出力し、サーバからの電気信号を光信号に変換して光ファイバーへと出力する。
【先行技術文献】
【特許文献】
【０００４】
【特許文献１】特開２０１５−２３１４３号公報
【発明の概要】
【発明が解決しようとする課題】
【０００５】
発光素子及び受光素子と光ファイバーとを接続する光コネクタは小型化が求められている。
【課題を解決するための手段】
【０００６】
本実施の形態の一観点によれば、第１の光コネクタと、前記第１の光コネクタと嵌合される第２の光コネクタとを有する光コネクタにおいて、前記第１の光コネクタは、開口を有するプレートと、前記プレートに積層される基板と、前記基板の上に積層される、発光素子及び受光素子を備えた光モジュールと、前記プレートに接続される、開口を有するアダプタと、を有し、前記第２の光コネクタは、ハウジングと、光ファイバーに接続され、その端部が前記ハウジングの先端部から露出するように前記ハウジングに設けられ、前記第１の光コネクタと前記第２の光コネクタとが嵌合する際に前記開口に入れられるフェルールと、を有することを特徴とする。
【発明の効果】
【０００７】
開示の光コネクタによれば、発光素子及び受光素子と光ファイバーとを接続する光コネクタを小型にすることができる。
【図面の簡単な説明】
【０００８】
【図１】第１の実施の形態による光コネクタの斜視図
【図２】第１の実施の形態による光コネクタの分解斜視図
【図３】第１の実施の形態による光コネクタジャックの構造図
【図４】第１の実施の形態による光コネクタプラグの構造図
【図５】第１の実施の形態による光コネクタプラグの断面図
【図６】第１の実施の形態による光コネクタプラグの説明図
【図７】第１の実施の形態による光コネクタプラグと光コネクタジャックとの嵌合状態の構造図
【図８】第１の実施の形態による光コネクタプラグと光コネクタジャックとの接続方法の説明図
【図９】第１の実施の形態による光コネクタプラグを光コネクタジャックより取り外す方法の説明図
【図１０】第１の実施の形態による光コネクタの組み立て方法の工程図（１）
【図１１】第１の実施の形態による光コネクタの組み立て方法の工程図（２）
【図１２】第１の実施の形態による光コネクタの組み立て方法の工程図（３）
【図１３】第１の実施の形態による光コネクタの組み立て方法の説明図（１）
【図１４】第１の実施の形態による光コネクタの組み立て方法の説明図（２）
【図１５】第１の実施の形態による光コネクタの組み立て方法の工程図（４）
【図１６】第２の実施の形態による光コネクタの斜視図
【図１７】第２の実施の形態による光コネクタの分解斜視図
【図１８】第２の実施の形態による光コネクタの断面図（１）
【図１９】第２の実施の形態による光コネクタジャックの断面図
【図２０】第２の実施の形態による光コネクタの断面図（２）
【図２１】座金及びＥリングの斜視図
【図２２】第２の実施の形態による光コネクタの接続方法の説明図
【図２３】第２の実施の形態による光コネクタを複数設けた場合の説明図
【図２４】第２の実施の形態による光コネクタプラグの説明図
【発明を実施するための形態】
【０００９】
本発明を実施するための形態について、以下に説明する。尚、同じ部材等については、同一の符号を付して説明を省略する。
【００１０】
〔第１の実施の形態〕
（光コネクタの構造）
第１の実施の形態による光コネクタについて説明する。図１は本実施の形態による光コネクタの斜視図である。図２は光コネクタジャック１００及び光コネクタプラグ２００の分解斜視図である。図３は組み立てられた状態の光コネクタジャック１００を示す。図３（ａ）は光コネクタジャック１００の斜視図であり、図３（ｂ）は図３（ａ）の一点鎖線３Ａ−３Ｂで切断した断面図である。
【００１１】
本実施の形態による光コネクタは、図１に示されるように、光コネクタジャック１００と光コネクタプラグ２００とを有しており、光コネクタジャック１００と光コネクタプラグ２００とを嵌合させることができるものである。以下、光コネクタジャック１００を第１の光コネクタ、光コネクタプラグ２００を第２の光コネクタと記載する場合がある。
【００１２】
図１から図３に示されるように、光コネクタジャック１００は、プレート１４０の上に配線基板１３０、ＬＧＡ（Land grid array）ソケット１２０、光モジュール１１０が順に積層されている。
【００１３】
光モジュール１１０には、光電変換素子であるＶＣＳＥＬ（Vertical Cavity Surface Emitting LASER）等の発光素子１１１及びＰＤ（Photodiode）等の受光素子１１２が搭載されている。発光素子１１１には、不図示のＩＣから出力された発光素子１１１を駆動するための電気信号が、配線基板１３０、ＬＧＡソケット１２０を介して入力し、発光素子１１１はこの電気信号に基づき発光する。また、受光素子１１２は入射した光を電流信号に変換し、ＬＧＡソケット１２０、配線基板１３０を介し、不図示のＴＩＡ（transimpedance amplifier）に入力する。尚、発光素子１１１及び受光素子１１２は、一部が光を透過する材料により形成された光モジュール１１０の内部に設けられており、光の入射及び出射には影響はない。光モジュール１１０は、ＬＧＡソケット１２０と配線基板１３０に固定されている。なお、光モジュール１１０をＬＧＡソケット１２０と配線基板１３０に固定する部品は、電気的な接続に必要な電気接続端子の接触力を発生させ、且つ接触力に耐える構造である。ＬＧＡソケット１２０では、光モジュール１１０を上から押さえ付ける部材が存在しているが、図面ではこのような部材は省略されている。光モジュール１１０には、放熱のために不図示の放熱部品が設けられる場合もある。
【００１４】
プレート１４０には光コネクタプラグ２００が入る開口１４１が形成されており、配線基板１３０には、後述する光コネクタプラグ２００のフェルール２２０が入る開口１３１が形成されている。また、ＬＧＡソケット１２０には、フェルール２２０と光モジュール１１０とを接続するための開口１２１が形成されている。
【００１５】
プレート１４０の下には、第１のアダプタ部材１５１及び第２のアダプタ部材１５２により形成されるアダプタ１５０が取り付けられている。第１のアダプタ部材１５１には第１のイジェクト部材１６１が取り付けられており、第２のアダプタ部材１５２には第２のイジェクト部材１６２が取り付けられている。本実施の形態では、第１のアダプタ部材１５１及び第２のアダプタ部材１５２はＬ字状に形成されており、第１のアダプタ部材１５１と第２のアダプタ部材１５２とを接合してアダプタ１５０を形成することにより、光コネクタプラグ２００が入れられる開口１０１が形成される。
【００１６】
本実施の形態による光コネクタジャック１００では、配線基板１３０の一方の面の側に発光素子１１１及び受光素子１１２を有する光モジュール１１０が設置されており、他方の面の側にはアダプタ１５０により開口１０１が形成される。
【００１７】
第１のアダプタ部材１５１と第２のアダプタ部材１５２とは互いにネジ１８１、１８２により接合される。第１のアダプタ部材１５１にはネジ穴１５１ａ、１５１ｂが形成されており、第２のアダプタ部材１５２にはネジ穴１５２ａとネジ穴１５１ａに対応するネジ穴が形成されている。また、第１のアダプタ部材１５１には、プレート１４０とネジ１８３、１８４により接続するためのネジ穴１５１ｃ、１５１ｄが設けられており、第２のアダプタ部材１５２には、プレート１４０とネジ１８５、１８６により接続するためのネジ穴１５２ｃ、１５２ｄが設けられている。
【００１８】
第１のイジェクト部材１６１は、第１のアダプタ部材１５１の開口１０１側に、回転軸１６１ａを中心に回動可能に取り付けられている。第１のイジェクト部材１６１の、回転軸１６１ａよりも開口１０１の奥側にはロック部１６１ｂが設けられており、外側には操作部１６１ｃが設けられている。第１のアダプタ部材１５１とロック部１６１ｂとの間にはコイルバネ１７１が設置されている。第２のイジェクト部材１６２は、第２のアダプタ部材１５２の開口１０１側に、回転軸１６２ａを中心に回動可能に取り付けられている。第２のイジェクト部材１６２の、回転軸１６２ａよりも開口１０１の奥側にはロック部１６２ｂが設けられており、外側には操作部１６２ｃが設けられている。第２のアダプタ部材１５２とロック部１６２ｂとの間にはコイルバネ１７２が設置されている。コイルバネ１７１及びコイルバネ１７２は、ロック部１６１ｂとロック部１６２ｂとが近づく方向にロック部１６１ｂおよびロック部１６２ｂを付勢する。
【００１９】
また、図２及び図４に示されるように、光コネクタプラグ２００は、筐体となるハウジング２１０の開口２１５内に、フェルール２２０、ピストン２３０、コイルバネ２４０が入れられており、蓋２５０により閉じられている。図４は組み立てられた状態の光コネクタプラグ２００を示す。図４（ａ）は光コネクタプラグ２００の斜視図であり、図４（ｂ）は図４（ａ）の一点鎖線４Ａ−４Ｂで切断した断面図である。図４の状態では、フェルール２２０の端部２２０ａはハウジング２１０の先端面２１０ａに設けられた図２に示される開口２１０ｂより出ている。フェルール２２０には図２等には不図示の光ファイバーが接続されており、蓋２５０には、フェルール２２０に接続される光ファイバーを通すための凹部２５１が形成されている。
【００２０】
光コネクタジャック１００の開口１０１の奥に最も入り込むハウジング２１０の先端面２１０ａからは、フェルール２２０の端部２２０ａが出ている。図４の例では２つのピストン２３０及びコイルバネ２４０が設けられており、フェルール２２０はその端部２２０ｂの両側より、ピストン２３０と蓋２５０の間に設置されたコイルバネ２４０に付勢されるピストン２３０によって押されている。これにより、コイルバネ２４０の付勢力により、フェルール２２０の段部２２０ｃはハウジング２１０の開口２１５に設けられた当接部２１５ａに当接し、フェルール２２０の端部２２０ａは、ハウジング２１０の先端面２１０ａから突き出る。尚、フェルール２２０には、位置合わせのための貫通穴２２１が設けられている。
【００２１】
また、ハウジング２１０の側面の両側には、第１のイジェクト部材１６１のロック部１６１ｂに対応する凹部２１１、及び第２のイジェクト部材１６２のロック部１６２ｂに対応する凹部２１２が形成されている。ハウジング２１０の側面において、凹部２１１よりも先端面２１０ａの側には凸部２１３が設けられており、凹部２１２よりも先端面２１０ａの側には凸部２１４が設けられている。
【００２２】
図５は、図４（ａ）の一点鎖線４Ｃ−４Ｄで切断した断面図である。図５に示されるように、光コネクタプラグ２００では、フェルール２２０の端部２２０ｂに光ファイバー２６０が接続されており、光コネクタプラグ２００の蓋２５０には、光ファイバー２６０を通す凹部２５１が形成されている。凹部２５１の光ファイバー２６０と接する部分には、断面が略円形の突起２５１ａが複数設けられている。光ファイバー２６０は、ハウジング２１０の開口２１５における曲面部２１５ｂと突起２５１ａとの間に挟まれて固定されている。曲面部２１５ｂは、光ファイバー２６０の最小曲げ半径と同等またはそれ以上の曲率半径で形成されている。
【００２３】
また、図６（ａ）に示すように、光コネクタプラグ２００では、フェルール２２０の端部２２０ｂの両側を、コイルバネ２４０により付勢される２つのピストン２３０で押さえている。一方、図６（ｂ）はピストン９３０を１つのコイルバネ９４０により上方に付勢する光コネクタプラグを示す。図６（ｂ）では、コイルバネ９４０の内側に光ファイバー２６０が通されている。図６（ｂ）に示すように、フェルール２２０の端部２２０ｂを、１つのコイルバネ９４０を用いてピストン９３０で押さえる場合よりも、光コネクタプラグを小型にすることができる。即ち、図６（ｂ）の光コネクタプラグではコイルバネ９４０の内側に光ファイバー２６０を通すため、コイルバネ９４０の径が相対的に大きくなり、紙面の奥行方向に光コネクタプラグが厚くなり大型になる場合がある。一方、本実施の形態では２つのコイルバネ２４０の間に光ファイバー１６０を配置するため、光コネクタプラグ２００の組み立て時に、光ファイバー１６０をコイルバネ２４０の中に通す必要がない。また、コイルバネ２４０の径を小さくすることが可能で、紙面の奥行における厚さを薄くすることができ、光コネクタプラグを小型にすることができる。
【００２４】
図７は、本実施の形態による光コネクタジャック１００と光コネクタプラグ２００とが嵌合している状態を示す。図７（ａ）は嵌合状態の光コネクタの斜視図であり、図７（ｂ）は図７（ａ）の一点鎖線７Ａ−７Ｂで切断した断面図である。
【００２５】
本実施の形態では、光コネクタジャック１００の開口１０１に光コネクタプラグ２００のフェルール２２０を入れることにより嵌合されて接続される。この際、光モジュール１１０の表面に設けられた突起１１３がフェルール２２０の貫通穴２２１に入ることにより、フェルール２２０と光モジュール１１０とが位置合わせされ、その結果発光素子１１１と受光素子１１２とが位置合わせされる。
【００２６】
光コネクタジャック１００と光コネクタプラグ２００とが接続されている状態で、光コネクタプラグ２００の側面に形成された凹部２１１に第１のイジェクト部材１６１のロック部１６１ｂが入り込み、凹部２１２には第２のイジェクト部材１６２のロック部１６２ｂが入り込む。対応する凹部に入り込んだロック部により、光コネクタジャック１００と光コネクタプラグ２００との嵌合状態が外れないようにすることができる。
【００２７】
尚、光コネクタジャック１００の開口１０１に光コネクタプラグ２００が入ってない状態、または、光コネクタジャック１００と光コネクタプラグ２００とが嵌合している状態では、所定の位置よりもロック部１６１ｂが開口１０１側に入り込まないように、第１のイジェクト部材１６１の腕部１６１ｄが開口１０１側の壁面１５１ｗと接している。同様に、ロック部１６２ｂが開口１０１側に入り込まないように、第２のイジェクト部材１６２の腕部１６２ｄが開口１０１側の壁面１５２ｗと接している。
【００２８】
（接続方法及び取り外し方法）
次に、本実施の形態による光コネクタジャック１００と光コネクタプラグ２００との接続及び取り外しについて説明する。図８に示されるように、光コネクタジャック１００と光コネクタプラグ２００との接続時には、光コネクタジャック１００の開口１０１に、フェルール２２０が露出しているハウジング２１０の先端面２１０ａが入れられる。以下の説明においては、便宜上、光コネクタジャック１００の第２のイジェクト部材１６２が設けられている側について説明するが、第１のイジェクト部材１６１についても同様に動作する。
【００２９】
最初に、開口１０１にハウジング２１０の先端面２１０ａを入れると、図８（ａ）に示されるように、ハウジング２１０の側面に設けられた凸部２１４により、第２のイジェクト部材１６２のロック部１６２ｂが押され、第２のイジェクト部材１６２は回転軸１６２ａを中心に反時計回りに回動する。
【００３０】
更に開口１０１に光コネクタプラグ２００を入れると、図８（ｂ）に示されるように、凸部２１４によりロック部１６２ｂが押された状態のまま、開口１０１の奥に光コネクタプラグ２００が入り込む。
【００３１】
更に開口１０１に光コネクタプラグ２００を入れると、図８（ｃ）に示されるように、凸部２１４がロック部１６２ｂよりも開口１０１の奥に入り込み、コイルバネ１７２の付勢力により、第２のイジェクト部材１６２が回転軸１６２ａを中心に時計回りに回動し、ロック部１６２ｂが凹部２１２に入り込む。この状態においては、凸部２１４のロック部１６２ｂ側の端部２１４ａがロック部１６２ｂに引っ掛かりロックされるため、光コネクタプラグ２００は光コネクタジャック１００から抜けることなく、光コネクタジャック１００と光コネクタプラグ２００との嵌合状態が維持される。
【００３２】
次に、光コネクタジャック１００より光コネクタプラグ２００を取り外す場合について、図９に基づき説明する。
【００３３】
光コネクタジャック１００より光コネクタプラグ２００を取り外す際には、図５（ｂ）及び図９（ａ）に示されるように、破線矢印Ａに示される方向、即ち、第１のイジェクト部材１６１の操作部１６１ｃと第２のイジェクト部材１６２の操作部１６２ｃとを互いに近づく方向に力を加える。
【００３４】
これにより、図９（ｂ）に示されるように、第２のイジェクト部材１６２は回転軸１６２ａを中心に時計回りに回動し、ロック部１６２ｂが凹部２１２から出るため、凸部２１４の端部２１４ａからロック部１６２ｂが外れる。
【００３５】
図９（ｃ）の状態においては、光コネクタジャック１００より光コネクタプラグ２００を引き抜き、外すことができる。
【００３６】
（光コネクタの組み立て方法）
次に、本実施の形態による光コネクタの組み立て方法について説明する。
【００３７】
最初に、図１０に示されるように、プレート１４０の上に配線基板１３０、ＬＧＡソケット１２０、光モジュール１１０を順に積層する。また、ハウジング２１０の開口２１５に、フェルール２２０、ピストン２３０、コイルバネ２４０を入れて蓋２５０をして、図１０に示される光コネクタプラグ２００を作製する。尚、フェルール２２０には図１０等には不図示の光ファイバーが接続されている。
【００３８】
次に、図１１に示すように、配線基板１３０、ＬＧＡソケット１２０、光モジュール１１０が積層されたプレート１４０と光コネクタプラグ２００との位置を合わせる。具体的には、図３（ｂ）に示される光モジュール１１０の突起１１３を図４（ｂ）に示されるフェルール２２０の貫通穴２２１に入れて位置合わせをする。
【００３９】
次に、図１２に示すように、位置合わせされている状態の光コネクタプラグ２００の周囲に、第１のイジェクト部材１６１が取り付けられている第１のアダプタ部材１５１と、第２のイジェクト部材１６２が取り付けられている第２のアダプタ部材１５２とを接続し、更に、第１のアダプタ部材１５１と第２のアダプタ部材１５２とをプレート１４０に取り付ける。
【００４０】
第１のアダプタ部材１５１と第２のアダプタ部材１５２とは、図１３に示されるように、第１のアダプタ部材１５１のネジ穴１５１ａと、ネジ穴１５１ａに対応する第２のアダプタ部材１５２のネジ穴とをネジ１８１によりネジどめし、第２のアダプタ部材１５２のネジ穴１５２ａと第１のアダプタ部材１５１のネジ穴１５１ｂとをネジ１８２によりネジどめすることにより接続される。これにより、第１のアダプタ部材１５１と第２のアダプタ部材１５２により、アダプタ１５０が形成される。尚、図１３（ａ）は接続前の状態の第１のアダプタ部材１５１と第２のアダプタ部材１５２を示し、図１３（ｂ）は接続された状態の第１のアダプタ部材１５１と第２のアダプタ部材１５２を示す。
【００４１】
次に、図１４に示されるように、アダプタ１５０をプレート１４０に接続する。具体的には、第１のアダプタ部材１５１のネジ穴１５１ｃとプレート１４０のネジ穴１４０ａとをネジ１８３によりネジどめし、第１のアダプタ部材１５１のネジ穴１５１ｄとプレート１４０のネジ穴１４０ｂとをネジ１８４によりネジどめする。同様に、第２のアダプタ部材１５２のネジ穴１５２ｃとプレート１４０のネジ穴１４０ｃとをネジ１８５によりネジどめし、第２のアダプタ部材１５２のネジ穴１５２ｄとプレート１４０のネジ穴１４０ｄとをネジ１８６によりネジどめする。尚、図１４（ａ）はアダプタ１５０がプレート１４０に接続される前の状態を示し、図１４（ｂ）はアダプタ１５０がプレート１４０に接続されている状態を示す。
【００４２】
以上の組み立て工程により、本実施の形態による光コネクタの光コネクタジャック１００及び光コネクタプラグ２００を組み立てることができる。
【００４３】
以上の組み立て工程により組み立てられた光コネクタジャック１００と光コネクタプラグ２００は、光コネクタジャック１００と光コネクタプラグ２００とを嵌合させて接続した際に、所望の位置で接続されるように形成されている。
【００４４】
〔第２の実施の形態〕
次に、第２の実施の形態による光コネクタについて説明する。本実施の形態による光コネクタでは、光コネクタプラグ２００に光ファイバーカバー４７０が取り付けられている。
【００４５】
図１６は本実施の形態による光コネクタの斜視図であり、図１７は光コネクタの分解斜視図である。図１８は図１６の一点鎖線１６Ａ−１６Ｂで切断した、嵌合した状態の光コネクタジャック３００と光コネクタプラグ４００の断面図である。図１９は図１６の一点鎖線１６Ａ−１６Ｂで切断した光コネクタジャック３００の断面図である。図２０は図１６の一点鎖線１６Ｃ−１６Ｄで切断した断面図である。本実施の形態による光コネクタについて、図１６から図１９に基づき説明する。
【００４６】
（イジェクト部材）
本実施の形態による光コネクタでは、光コネクタジャック３００の第１のアダプタ部材１５１に第１のイジェクト部３６１が取り付けられ、第２のアダプタ部材１５２に第２のイジェクト部３６２が取り付けられている。
【００４７】
第１のイジェクト部３６１は、第１のアダプタ部材１５１の開口１０１側に、軸３６３を中心に回動可能に取り付けられている。軸３６３は細長い円柱状のピンにより形成されている。第１のイジェクト部３６１の、軸３６３よりも開口１０１の奥側にはロック３６１ａが設けられており、外側には操作部３６１ｂが設けられている。第１のアダプタ部材１５１とロック３６１ａとの間にはコイルバネ３７１が設置されている。
【００４８】
第２のイジェクト部３６２は、第２のアダプタ部材１５２の開口１０１側に軸３６４を中心に回動可能に取り付けられている。軸３６４も円柱状のピンである。第２のイジェクト部３６２の、軸３６４よりも光コネクタジャック１００の開口１０１の奥側にロック３６２ａが設けられており、外側には操作部３６２ｂが設けられている。第２のアダプタ部材１５２とロック３６２ａとの間にはコイルバネ３７２が設置されている。
【００４９】
コイルバネ３７１及びコイルバネ３７２は、ロック３６１ａとロック３６２ａとが互いに近づく方向に各々のロックを付勢する。
【００５０】
本実施の形態では、図２０に示されるように、軸３６３は第１のイジェクト部３６１を貫通し、軸３６３の両側の、アダプタ１５０の内側と第１のイジェクト部３６１との間には座金３６５が設けられている。アダプタ１５０の外側にはＥリング３６７が設けられている。例えば、座金３６５には図２１（ａ）に示される平座金を用い、Ｅリング３６７には図２１（ｂ）に示されるものが用いられる。軸３６３の、アダプタ１５０と第１のイジェクト部３６１との間に座金３６５を設けることにより、アダプタ１５０と第１のイジェクト部３６１とが直接接触しないため、第１のイジェクト部３６１を円滑に回転させることができる。また、Ｅリング３６７は軸３６３であるピンがアダプタ１５０より抜けてしまうことを防ぐ。
【００５１】
第２のイジェクト部３６２についても同様であり、図１７に示されるように、第２のイジェクト部３６２を貫通する軸３６４両側の、アダプタ１５０と第２のイジェクト部３６２との間には座金３６６が設けられている。また、軸３６４の両側の、アダプタ１５０の外側にはＥリング３６８が設けられている。尚、座金３６５及び３６６は図２１（ｂ）に示されるような平座金が好ましい。
【００５２】
なお、軸３６３、３６４の端部にＥリング３６７、３６８を取付けるため、アダプタ１５０のＥリング３６７、３６８が取り付けられる部分には切り欠きが形成されている。この構成により、アダプタ１５０の外側に軸３６３、３６４の端部や、Ｅリング３６７、３６８が出っ張らないようにすることができる。
【００５３】
また、ハウジング２１０の側面の両側には、ロック３６１ａに対応する凹部２１１、及びロック３６２ａに対応する凹部２１２が形成されている。ハウジング２１０の側面の、凹部２１１よりも先端面２１０ａの側には凸部２１３が設けられており、凹部２１２よりも先端面２１０ａの側には凸部２１４が設けられている。
【００５４】
光コネクタジャック３００と光コネクタプラグ４００とが嵌合されている状態では、凹部２１１には第１のイジェクト部３６１のロック３６１ａが入り込み、凹部２１２には第２のイジェクト部３６２のロック３６２ａが入り込む。この構成により、光コネクタジャック３００と光コネクタプラグ４００との嵌合状態が外れないようにできる。
【００５５】
（光ファイバーガイド）
本実施の形態による光モジュールは、図２２の破線矢印Ｂに示されるように、光コネクタジャックを上下方向に移動させることにより、光コネクタジャックを接続したり取り外したりすることができる。光モジュールが複数配置されて用いられる場合、図２３に示されるように光モジュールは横に並べて配列され、上方向の空間は解放されている。光モジュールに接続されている光ファイバー２６０は光モジュールの配列方向に延びており、光ファイバー２６０は光コネクタプラグ４００との接続部分で略直角に曲げられている。光ファイバー２６０が略直角に曲げられると、曲げられている部分に強い力がかかり、光ファイバー２６０が折れ曲がったりして破損する場合がある。また、光ファイバー２６０の最小曲げ半径よりも小さな曲率で曲げられると、光ファイバー２６０内を伝播している光が外に漏れて光損失の原因となる。
【００５６】
このため、本実施の形態では、光コネクタプラグ４００との接続部分で曲げられている光ファイバー２６０を保護するため、図２４に示されるように光ファイバーカバー４７０が設けられている。光ファイバーカバー４７０は、光ファイバーカバー下部４７１と光ファイバーカバー上部４７２とを有する。本実施の形態では、光コネクタプラグ４００に光ファイバー２６０を先に取り付け、光ファイバーカバー４７０を後から取り付けることができるよう、光ファイバーカバー４７０は光ファイバーカバー下部４７１と光ファイバーカバー上部４７２の２つに分割されている。図２４（ａ）は光コネクタプラグ４００の斜視図であり、図２４（ｂ）は図２４（ａ）の一点鎖線２４Ａ−２４Ｂで切断した断面図である。なお、光ファイバーカバー下部４７１を第１の光ファイバーカバーと記載し、光ファイバーカバー上部４７２を第２の光ファイバーカバーと記載する場合がある。
【００５７】
本実施の形態では、光ファイバーカバー上部４７２には光ファイバー２６０の最小曲げ半径よりも大きい曲率半径の曲面部４７２ａが形成されている。また、光ファイバーカバー下部４７１には曲面部４７２ａに対応した形状の曲面部４７１ａが形成されている。光ファイバーカバー４７０の高さＨｃは光ファイバー２６０の最小曲げ半径よりも大きい。本実施の形態において、光ファイバー２６０の直径は約３ｍｍであり、最小曲げ半径は約１５ｍｍであり、光ファイバーカバー４７０の高さＨｃは２０ｍｍ以上となるように形成されている。
【００５８】
光ファイバーカバー４７０は、光コネクタプラグ４００の蓋２５０に光ファイバーカバー下部４７１をネジ４７３、４７４により取り付け、光ファイバーカバー下部４７１の曲面部４７１ａと光ファイバーカバー上部４７２の曲面部４７２ａとの間に光ファイバー２６０を入れた状態で、光ファイバーカバー上部４７２を光ファイバーカバー下部４７１にネジ４７５、４７６により取り付ける。
【００５９】
以上、本発明の実施に係る形態について説明したが、上記内容は、発明の内容を限定するものではない。
【符号の説明】
【００６０】
１００      光コネクタジャック
１０１      開口
１１０      光モジュール
１４０      プレート
１５０      アダプタ
１６１      第１のイジェクト部材
１６２      第２のイジェクト部材
１７１、１７２      コイルバネ
２００      光コネクタプラグ
２１０      ハウジング
２２０      フェルール
２３０      ピストン
２４０      コイルバネ
２５０      蓋
２５１      凹部
【図１】
2018017921.tif 000003
【図２】
2018017921.tif 000004
【図３】
2018017921.tif 000005
【図４】
2018017921.tif 000006
【図５】
2018017921.tif 000007
【図６】
2018017921.tif 000008
【図７】
2018017921.tif 000009
【図８】
2018017921.tif 000010
【図９】
2018017921.tif 000011
【図１０】
2018017921.tif 000012
【図１１】
2018017921.tif 000013
【図１２】
2018017921.tif 000014
【図１３】
2018017921.tif 000015
【図１４】
2018017921.tif 000016
【図１５】
2018017921.tif 000017
【図１６】
2018017921.tif 000018
【図１７】
2018017921.tif 000019
【図１８】
2018017921.tif 000020
【図１９】
2018017921.tif 000021
【図２０】
2018017921.tif 000022
【図２１】
2018017921.tif 000023
【図２２】
2018017921.tif 000024
【図２３】
2018017921.tif 000025
【図２４】
2018017921.tif 000026